【事件の表示】
　特願２０１５−２３７２０４号「遊技機」拒絶査定不服審判事件〔平成２８年４月７日出願公開、特開２０１６−４７３７５号、請求項の数（１）〕について、次のとおり審決する。
【結　論】
　原査定を取り消す。
　本願の発明は、特許すべきものとする。
【理　由】
第１　手続の経緯
　本願は、平成２４年４月１９日に出願した特願２０１２−９５９０９号の一部を平成２７年１２月４日に新たな特許出願（特願２０１５−２３７２０４号）としたものであって、平成２８年２月２９日に手続補正書が提出され、同年９月２３日付けで拒絶の理由が通知され、同年１１月２５日に意見書及び手続補正書が提出され、平成２９年４月６日付けで最後の拒絶の理由が通知され、同年６月９日に意見書及び手続補正書が提出されたところ、同年１１月１０日付けで、同年６月９日付け手続補正が却下されるとともに拒絶査定（以下、「原査定」という。）がなされ（原査定の謄本の送達日：同年１１月１４日）、それに対して、平成３０年２月１４日に拒絶査定不服審判の請求がなされると同時に手続補正書が提出され、これに対し、当審において、同年１１月２６日付けで拒絶の理由（以下、「当審拒絶理由」という）が通知され、平成３１年１月２２日に意見書及び手続補正書が提出されたものである。
第２　本願発明
　本願の請求項１に係る発明（以下「本願発明」という。）は、平成３１年１月２２日付けの手続補正書により補正された特許請求の範囲の請求項１に記載された事項により特定される次のとおりのものである（Ａ〜Ｊは、本願発明を分説するために当審で付した）。
「Ａ　前面に遊技領域を有し該遊技領域内に開口部が形成された遊技板と、
Ｂ　該遊技板の前記開口部内に挿入されたセンター役物と、
Ｃ　立体的な装飾がなされている装飾部と、を備え、
Ｂ１　該センター役物は、
Ｄ　前記センター役物の外側に向かって開口したワープ入口及び前記センター役物の内側に向かって開口したワープ出口を連通するワープ通路と、
Ｅ　前記遊技板の前記開口部に挿入されている挿入部と、
Ｆ　前記遊技板の前面よりも遊技者側に突出し、前記遊技領域と前記センター役物の内部空間とを区画する区画壁部と、
Ｇ　前記挿入部よりも径方向外側に突出し前記遊技板の前面に当接するフランジ部と、
Ｈ　前記区画壁部の少なくとも一部を、正面視において前記開口部の内縁よりも径方向内側の所定位置に配置することで、前記挿入部と前記区画壁部との間に拡張された拡張遊技領域を形成する遊技領域拡張部と、を具備し、
Ｈ１　正面視において前記遊技板の前記開口部の内縁よりも径方向内側に形成された前記遊技領域拡張部は、透光可能に透明な部材で形成され、
Ｃ１　立体的な装飾がなされている前記装飾部は、透明な部材で正面視において前記遊技板の前記開口部の内縁よりも径方向内側に形成されている前記遊技領域拡張部を介し、前記装飾部の装飾が視認可能となるように前記遊技領域拡張部の後方に位置し、前記遊技領域拡張部の後方から前記区画壁部の径方向内側の位置まで跨って設けられ、
Ｈ２　遊技球の直径よりも前記区画壁部に沿った方向の長さを長く前記遊技領域拡張部を形成し、
Ｅ１　前記挿入部は、前記遊技領域拡張部の後方に空間が形成されるように配置され、
Ｈ３　前記遊技領域拡張部の遊技球通過面よりも遊技者側において装飾をなす特別装飾部が、前記遊技領域拡張部に対して正面視で前記区画壁部を挟んで径方向内側に設けられ、
Ｈ４　前記挿入部と前記遊技板との間に生じる空間の幅よりも前記遊技領域拡張部である前記挿入部と前記区画壁部との間の幅のほうが大きくなっており、
Ｈ５　前記センター役物に設けられる頂部に衝突した遊技球が流下する左側流下領域に遊技領域拡張部が設けられ、
Ｉ　前記遊技領域拡張部の後方には、前記遊技領域拡張部を発光装飾する発光手段が備えられている
Ｊ　ことを特徴とする遊技機。」
第３　原査定の理由について
１　原査定の理由の概要
　原査定の理由の概要は次のとおりである。
　（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項　１
・引用文献等　１〜８
・請求項　１
・引用文献等　１、９
・請求項　２
・引用文献等　１〜９
引用文献等一覧
１.特開２００７−２６７９０２号公報
２.特開２００９−７８０１５号公報（周知技術を示す文献）
３.特開２０１０−１１９７３０号公報（周知技術を示す文献）
４.特開２０１０−１３１４５９号公報（周知技術を示す文献）
５.特開２０１０−２２７４３０号公報（周知技術を示す文献）
６.特開２０１０−２４６７２４号公報（周知技術を示す文献）
７.特開２００９−２３３３８７号公報
８.特開２００９−１５３６７９号公報
９.特開２００８−２１２７５０号公報
２　原査定の理由についての判断
（１）引用文献の記載事項
ア　引用文献１
　原査定に係る拒絶理由で引用された、本願の出願日前に頒布された刊行物である特開２００７−２６７９０２号公報（以下「引用文献１」という。）には、図面とともに、次の記載がある（下線は当審にて付した）。
（ア）「【０００９】
　そこで、本発明は、上述した点を鑑みてなされたものであり、
センター装飾部材に外周が取り囲まれた表示画面が大型化又は偏在されても、パチンコ球が転動流下可能な転動領域のスペースを十分に確保するとともに表示画面の視認に支障がない構造を有したパチンコ機を提供することを課題とする
（イ）「【００１１】
　以下、本発明の実施の形態を図面を参照にして説明する。図１は、本実施の形態の
パチンコ機
遊技盤２０２の盤面２０２Ａには
遊技領域２０７を形成している
遊技盤２０２の盤面２０２Ａの遊技領域２０７には、
中央開口部２０４
が設けられている
　一方、
遊技盤２０２の表面（正面）には
センター装飾部材２０５の一部が、遊技盤２０２に形成された
中央開口部２０１
の一部を塞ぐように
センター装飾部材２０５が遊技盤２０２に螺子などによって固定される
【００１２】
　そこで、ここからは、センター装飾部材２０５を図面に基づいて説明する。図４にセンター装飾部材２０５の正面図を示し、図５にセンター装飾部材２０５の背面図を示し、図６にセンター装飾部材２０５の分解斜視図を示し、図７にセンター装飾部材２０５の斜視図を示す。図４〜図７に示すように、
センター装飾部材２０５
その本体枠３０１
【００１３】
　この点、
本体枠３０１には
センター装飾部材２０５が遊技盤２０２の盤面２０２Ａに固定された際に遊技盤２０２の盤面２０２Ａと接面する各基底片面４０１Ａ，４０１Ｂ，４０１Ｃ，４０１Ｄが形成され
遊技盤２０２の盤面２０２Ａに対して垂直した状態となる屈曲した突出片面４０２が形成されている
　特に、
突出片面４０２の一部によって
ワープルート３０４が形成され
上中央付近から左横に向かって下りに傾斜する傾斜片面４０３が形成されている
【００１４】
　尚、本体枠３０１は、各基底片面４０１Ａ，４０１Ｂ，４０１Ｃ，４０１Ｄや、突出片面４０２、傾斜片面４０３、ワープルート３０４を含めて、無色透明の光透過性材質であるポリカーボーネート樹脂で一体的に成型加工される。
　また、
センター装飾部材２０５の基底片面４０１Ａ，４０１Ｂ，４０１Ｃ，４０１Ｄから突出片面４０２が突出した方面が「遊技者側」となる
【００１５】
　また、固定板３１１には、その表面において、ジグザグ状の複数の突出片面３１２が形成されている。そして、本体枠３０１の第２開口部３０３に対し固定板３１１が螺子で固定されると、固定板３１１の表面に列設されたジグザグ状の複数の突出片面３１２によって、本体枠３０１の第２開口部３０３に案内溝３１３が形成される。この点、案内溝３１３の各溝は、パチンコ球が転動可能な間隔を有していることから、遊技釘を使用することなくパチンコ球を誘導することが可能となる。
　尚、複数の突出片面３１２が列設された固定板３１１は、光透過性材質であるポリカーボーネート樹脂で一体的に成型加工される。但し、このポリカーボーネート樹脂は、光が透過するものであれば、有色又は無色、透明又は非透明のいずれであってもよい。
【００１６】
　また、発光素子基盤３２１には、複数のＬＥＤ発光素子３２２が搭載されている。そして、発光素子基盤３２１は、各ＬＥＤ発光素子３２２の搭載面が固定板３１１に対向した状態で、固定板３１１の背面に螺子で固定される。
【００１７】
　次に、図８に基づいて説明する。遊技盤２０２の盤面２０２Ａには、上記中央開口部２０４と連なるようにして配置開口部３３１が設けられている。そして、遊技盤２０２に対してセンター装飾部材２０５を組み付けると、センター装飾部材２０５を構成する本体枠３０１の第１開口部３０２は遊技盤２０２の中央開口部２０４に重なり合い、また、センター装飾部材２０５を構成する本体枠３０１の第２開口部３０３は遊技盤２０２の配置開口部３３１に重なり合う。従って、遊技盤２０２に対してセンター装飾部材２０５が組み付けられた状態では、遊技盤２０２の配置開口部３３１は、センター装飾部材２０５の第２開口部３０３に固定された固定板３１１で塞がれることになる。そして、このとき、固定板３１１の背面に固定された発光素子基盤３２１の各ＬＥＤ発光素子３２２は遊技盤２０２の配置開口部３３１に内置され、固定板３１１の表面に形成された突出片面３１２などで構成する案内溝３１３は遊技盤２０２上に存置される。
【００１８】
　また、図１に示すように、遊技盤２０２の盤面２０２Ａにセンター装飾部材２０５を固定した状態では、センター装飾部材２０５の傾斜片面４０３は、上述したように、センター装飾部材２０５の上中央付近から左横に向かって下り勾配を有した斜面となる。
【００１９】
　また、遊技盤２０２の盤面２０２Ａに形成された遊技領域２０７においては、センター装飾部材２０５の突出片面４０２がその上中央外側から右横外側にかけて外側レール２０６Ａ及び内側レール２０６Ｂの各内縁と非常に接近しており、その接近した領域にパチンコ球が侵入することを阻止するために、返し部材２０８がセンター装飾部材２０５の上中央外側付近に設けられている。
【００２０】
　さらに、遊技盤２０２の盤面２０２Ａに形成された遊技領域２０７内においては、上述したセンター装飾部材２０５や返し部材２０８に加えて、風車２１１、第１始動口２１４、チューリップ部材２１５Ａを有した第２始動口２１５、ゲート２１６、大入賞口２１７、アウト口２１８、電飾部材２３１Ａ，２３１Ｂなどが配設されている。従って、遊技盤２０２の盤面２０２Ａに形成された遊技領域２０７内のうち、表示画面２０３を含めたセンター装飾部材２０５（但し、基底片面４０１Ａ，４０１Ｄ、案内溝３１３、ワープルート３０４を除く）や、返し部材２０８、風車２１１、第１始動口２１４、第２始動口２１５、ゲート２１６、大入賞口２１７、アウト口２１８、電飾部材２３１Ａ，２３１Ｂなどを排除した領域でパチンコ球が転動流下することが可能な転動領域２３２が形成されている。
【００２１】
　そして、
センター装飾部材２０５の上中央外側から上左外側にかけて形成された転動領域２３２には、
センター装飾部材２０５の基底片面４０１Ａやワープルート３０４の上部が配設されている
　また、
センター装飾部材２０５の左横外側に形成された転動領域２３２には、
ワープルート３０４の下部が配設されている
　さらに、センター装飾部材２０５の下外側に形成された転動領域２３２には、誘導釘などを形成する複数の遊技釘２１３や、第１始動口２１４、チューリップ部材２１５Ａを有した第２始動口２１５、ゲート２１６、大入賞口２１７、アウト口２１８などが配設されているが、さらに、センター装飾部材２０５の基底片面４０１Ｄが配設されている。」
（ウ）「【００２３】
　また、本実施の形態のパチンコ機１では、遊技盤２０２の盤面２０２Ａにセンター装飾部材２０５を固定した状態では、図２の斜線部２０５Ａに示すように、
センター装飾部材２０５の基底片面４０１Ａ
の各一部が表示画面２０３の一部を覆っている。
センター装飾部材２０５は、基底片面４０１Ａ
無色透明の光透過性材質であるポリカーボーネート樹脂で一体的に成型加工されていることから、表示画面２０３のうち斜線部２０５Ａに該当する部分に映るカラー画像は、センター装飾部材２０５を介しても変色することなく見ることができる
【００２４】
　以上詳細に説明したように、本実施の形態のパチンコ機１においては、遊技盤２０２と、前記遊技盤２０２の盤面２０２Ａ上に設けられた外側レール２０６Ａ及び内側レール２０６Ｂ（本発明の「ガイドレール」に相当するもの）と、前記外側レール２０６Ａ及び内側レール２０６Ｂによって前記遊技盤２０２の盤面２０２Ａ上に区画形成された遊技領域２０７と、前記遊技盤２０２の盤面２０２Ａ上に設けられるとともに前記遊技領域２０７内に配設された第１始動口２１４又は第２始動口２１５（本発明の「入賞口」のいずれかに相当するもの）と、前記遊技盤２０２の盤面２０２Ａ上に設けられるとともに前記遊技領域２０７内に前記第１始動口２１４又は第２始動口２１５より上方に配設された表示画面２０３と、前記遊技盤２０２の盤面２０２Ａ上に遊技者側に向けて突設されるとともに前記遊技領域２０７内で前記表示画面２０３の外周を取り囲んで配設されたセンター装飾部材２０５と、前記遊技盤２０２の盤面２０２Ａ上に設けられるとともに前記遊技領域２０７内で前記センター装飾部材２０５と前記外側レール２０６Ａ及び内側レール２０６Ｂとの間に配設された遊技釘２０９，２１０，２１３（本発明の「障害物」に相当するもの）と、前記第１始動口２１４又は第２始動口２１５と前記表示画面２０３と前記センター装飾部材２０５と前記遊技釘２０９，２１０，２１３とが配設されることによって前記遊技領域２０７内に形成されるとともに前記遊技盤２０２の盤面２０２Ａ上でのパチンコ球の流下方向を変更する転動領域２３２と、を有するとともに、前記センター装飾部材２０５には前記遊技盤２０２の盤面２０２Ａに対して略平行な基底片面４０１Ａ，４０１Ｂ，４０１Ｃ，４０１Ｄ（本発明の「基底面」に相当するもの）と前記基底片面４０１Ａ，４０１Ｂ，４０１Ｃ，４０１Ｄから遊技者側に向けて突設された突出片面４０２（本発明の「突出面」に相当するもの）と前記突出片面４０２の一部として当該センター装飾部材２０５の略斜め左上方隅付近に設けられた傾斜片面４０３（本発明の「傾斜面」に相当するもの）とが形成されており、前記外側レール２０６Ａに案内されて前記転動領域２３２内に侵入した
パチンコ球が前記センター装飾部材２０５の傾斜片面４０３に沿って流下
（エ）「【００２７】
　すなわち、本実施の形態のパチンコ機１では、図１や図２に示すように、遊技盤２０２の盤面２０２Ａ上の遊技領域２０７内にセンター装飾部材２０５が配設されることによって、センター装飾部材２０５の基底片面４０１Ａやワープルート３０５が遊技盤２０２の盤面２０２Ａ上の遊技領域２０７内に存在する転動領域２３２内に配置されている。
　さらに、センター装飾部材２０５の略斜め左上方隅付近では、センター装飾部材２０５によって外周が囲まれた
表示画面２０３の一部と重ね合わせるようにして、遊技盤２０２の盤面２０２Ａ上の転動領域２３２からセンター装飾部材２０５の傾斜片面４０３にかけてセンター装飾部材２０５の基底片面４０１Ａを渡し設けている
【００２８】
　従って、
表示画面２０３の一部と重なり合ったセンター装飾部材２０５の基底片面４０１Ａ
は、遊技盤２０２の盤面２０２Ａ上にはないけれども、遊技盤２０２の盤面２０２Ａ上の転動領域２３２から延長された新たな転動領域として機能する
表示画面２０３から放たれた光は、表示画面２０３の一部と重なり合ったセンター装飾部材２０５の基底片面４０１Ａ
を通過し
センター装飾部材２０５の基底片面４０１Ａ
が無色透明の光透過性材質であるポリカーボーネート樹脂で
成型加工されている
遊技者側にそのままの状態で達する
　以上より、センター装飾部材２０５に外周が取り囲まれた表示画面２０３が遊技盤２０２の盤面２０２Ａ上で大型化又は偏在されても、センター装飾部材２０５の基底片面４０１Ａや傾斜片面４０３やワープルート３０５などが透明の光透過性材質であるため、これら透明材質を介して遊技者が表示画面２０３を視認可能になるので、視覚効果などを十分に発揮させることができる。さらに、表示画面２０３が大型化するに連れて、追従するように、転動領域２３２を狭くしなくても良いので、第１始動口２１４又は第２始動口２１３に対するパチンコ球の入賞率の調整を考慮したレイアウト設計への制約が比較的緩やかにすることができる。」
（オ）【図４】には、ワープルート３０４の上端が、センター装飾部材２０５の外側に向かって開口し、ワープルート３０４の下端が、センター装飾部材２０５の内側で開口していることが記載されている。また、基底片面４０１Ａの傾斜片面４０３に沿った方向の長さは、ワープルート３０４を通過するパチンコ球の直径よりも長いことが記載されている。さらに、センター装飾部材２０５の上中央から上右にかけての突出片面４０２の径方向位置に比べ、上中央から上左にかけての傾斜片面４０３の径方向位置は、径方向内側に配置され、傾斜片面４０３の径方向外側に基底片面４０１Ａが配置されることが記載されている。
【図４】
　上記の記載事項を総合すると、引用文献１には、次の発明（以下「引用発明１」という。）が記載されているものと認められる。
　「ａ　遊技盤２０２の盤面２０２Ａには遊技領域２０７が形成され、該遊技領域２０７には中央開口部２０４が設けられている遊技盤２０２（【００１１】）と、
ｂ　遊技盤２０２の表面（正面）に、センター装飾部材２０５の一部が遊技盤２０２に形成された中央開口部２０１の一部を塞ぐように、螺子などによって固定されるセンター装飾部材２０５（【００１１】）と、を備え、
ｄ　センター装飾部材２０５の本体枠３０１に、遊技盤２０２の盤面２０２Ａに対して垂直した状態となる屈曲した突出片面４０２が形成され、突出片面４０２の一部によってワープルート３０４が形成され（【００１２】−【００１３】）、センター装飾部材２０５の上中央外側から上左外側にかけて形成された転動領域２３２には、ワープルート３０４の上部が配設され、センター装飾部材２０５の左横外側に形成された転動領域２３２には、ワープルート３０４の下部が配設されており（【００２１】）、ワープルート３０４の上端が、センター装飾部材２０５の外側に向かって開口し、ワープルート３０４の下端が、センター装飾部材２０５の内側で開口しており（【図４】）、
ｆ　センター装飾部材２０５から遊技者側に突出した突出片面４０２（【００１４】）の一部によって上中央付近から左横に向かって下りに傾斜する傾斜片面４０３が形成されており（【００１３】）パチンコ球が前記センター装飾部材２０５の傾斜片面４０３に沿って流下し（【００２４】）、
ｇ　センター装飾部材２０５の本体枠３０１に、センター装飾部材２０５が遊技盤２０２の盤面２０２Ａに固定された際に遊技盤２０２の盤面２０２Ａと接面する各基底片面４０１Ａ，４０１Ｂ，４０１Ｃ，４０１Ｄが形成され（【００１２】−【００１３】）、
ｈ　突出片面４０２に対して径方向内側に配置された傾斜片面４０３の径方向外側に基底片面４０１Ａが配置され（【図４】）、表示画面２０３の一部と重なり合ったセンター装飾部材２０５の基底片面４０１Ａは、遊技盤２０２の盤面２０２Ａ上にはないけれども、遊技盤２０２の盤面２０２Ａ上の転動領域２３２から延長された新たな転動領域として機能し（【００２８】）、
ｈ１　センター装飾部材２０５の基底片面４０１Ａは無色透明の光透過性材質であるポリカーボーネート樹脂で成型加工されており（【００２８】）、
ｃ１　表示画面２０３の一部と重ね合わせるようにして、遊技盤２０２の盤面２０２Ａ上の転動領域２３２からセンター装飾部材２０５の傾斜片面４０３にかけてセンター装飾部材２０５の基底片面４０１Ａを渡し設けており（【００２７】）、表示画面２０３から放たれた光は、表示画面２０３の一部と重なり合ったセンター装飾部材２０５の基底片面４０１Ａを通過し遊技者側にそのままの状態で達し（【００２８】）、
ｈ２　基底片面４０１Ａの傾斜片面４０３に沿った方向の長さは、パチンコ球の直径よりも長く（【図４】）、
ｈ５　センター装飾部材２０５の上中央外側から上左外側にかけて形成された転動領域２３２にセンター装飾部材２０５の基底片面４０１Ａが配設されており（【００２１】）、
ｉ　センター装飾部材２０５の基底片面４０１Ａは表示画面２０３の一部と重なり合っている（【００２８】）、
ｊ　パチンコ機（【００１１】）。」
イ　引用文献２
　原査定に係る拒絶理由で周知技術の例として引用された、本願の出願日前に頒布された刊行物である特開２００９−７８０１５号公報（以下「引用文献２」という。）には、図面とともに以下の事項が記載されている。
（ア）「【０３５４】
　複数の
ライト状装飾体５２０は
裏ユニット５１０の正面側に
配置される
各ライト状装飾体５２０の背後には、３つのレンズ体
の各々に対応するＬＥＤを備えたＬＥＤ基板
が設けられている
このＬＥＤ基板
の駆動により、各ライト状装飾体５２０は赤色レンズ体または青色レンズ体を介して発光する
ウ　引用文献３
　原査定に係る拒絶理由で周知技術の例として引用された、本願の出願日前に頒布された刊行物である特開２０１０−１１９７３０号公報（以下「引用文献３」という。）には、図面とともに以下の事項が記載されている。
（ア）「【００１７】
　図２および図４に示すように、前記遊技盤２０には、可動体１１０,１３０,２２０,３３０,４２０,４２４,４２８を有する演出装置１００,２００,３００,４００が表示部２０ｂを囲んで複数設けられている。
実施例の遊技盤２０は
表示部２０ｂの下側に位置して裏ユニット３０に設置された下部演出装置１００
を備えている
【００１８】
(下部演出装置)
　前記下部演出装置１００は、図３に示すように、裏ユニット３０における裏ユニット開口部３０ａ下側を画成する辺部に設置され、透明板２２の後側に配置されている。また下部演出装置１００は、図２に示すように、表示部２０ｂとこの表示部２０ｂの下側に配置された始動入賞装置２５との間に位置し、該下部演出装置１００の前面に設けられる後述する第２下部可動体(可動体)１３０がステージ７４の後側に重なるように配置されている。
【００１９】
　図１２〜図３３に示すように、前記
下部演出装置１００は
第２下部可動体１３０と
から基本的に構成される
（イ）「【００３７】
　図２８および図２９に示すように、前記
第２下部可動体１３０は、光を透過しない不透明な枠部１４０を本体として、光拡散部１４２,１４４、ロゴＬＥＤ基板(発光体基板)１４６および後壁部１４８を順に枠部１４０に取り付けて構成される
第２下部可動体１３０は、パチンコ機のモチーフに合わせた複雑な外形とされる
エ　引用文献４
　原査定に係る拒絶理由で周知技術の例として引用された、本願の出願日前に頒布された刊行物である特開２０１０−１３１４５９号公報（以下「引用文献４」という。）には、図面とともに以下の事項が記載されている。
（ア）「【００３９】
　図６及び図７に示すように、本実施形態の
弾球遊技機１においては、遊技板３２と液晶ディスプレイ部７０との間には、スペーサ１１０が備えられている
（イ）「【００５８】
　具体的には、
スペーサ１１０の前面の凹部１１４には、電飾用レンズ部材１４０が嵌め込まれる
スペーサ１１０の裏面に発光基板１３０が取り付けられた状態で、各発光部材１３１が正面側から見て各開口部１１３に臨む位置となることにより、電飾用レンズ部材１４０は、スペーサ１１０の前面側から見て複数の発光部材１３１と重なる位置に取り付けられている
オ　引用文献５
　原査定に係る拒絶理由で周知技術の例として引用された、本願の出願日前に頒布された刊行物である特開２０１０−２２７４３０号公報（以下「引用文献５」という。）には、図面とともに以下の事項が記載されている。
（ア）「【００４０】
(左右の側部発光演出装置について)
　次に、前記左右の側部発光演出装置８０,８１につき説明する。なお、左右の側部発光演出装置８０,８１は、基本的構成が左右対称となるよう形成されているので、右側部発光演出装置８０の構成に関して詳細に説明し、左側部発光演出装置８１に関しては同一の符号を付して詳細な説明は省略する。前記
右側部発光演出装置８０は
裏ユニット５７
における対向面部５９の開口部６０の右側前面
に配設され、前方へ光を照射する複数のＬＥＤ８２ａ,８２ｂ,８２ｃが実装された側部ＬＥＤ基板８２と、該側部ＬＥＤ基板８２の前側に配設される複数の発光体カバー９１,９２,９３,９４とから構成されて、該側部ＬＥＤ基板８２のＬＥＤ８２ａ,８２ｂ,８２ｃを発光することで、各発光体カバー９１,９２,９３,９４が明輝されるようになっている
カ　引用文献６
　原査定に係る拒絶理由で周知技術の例として引用された、本願の出願日前に頒布された刊行物である特開２０１０−２４６７２４号公報（以下「引用文献６」という。）には、図面とともに以下の事項が記載されている。
（ア）「【００２５】
　ここで、透明プレート７は、透明遊技盤６と同じくアクリル板等の透明性を有する部材で形成される。そして、
透明プレート７は
パチンコ機１の奥行き方向において透明遊技盤６と画像表示装置４１、照明装置４２、４３との間であって、透明遊技盤６を正面から見た場合に、画像表示装置４１や照明装置４２、４３の周囲で且つ画像表示装置４１や照明装置４２、４３と重ならない領域に配置されている
【００２６】
　そして、
透明プレート７の前面
には、複数の凹部６１が形成されている
透明プレート７内へと光が入射されると、透明プレート７において星型に形成された凹部６１が発光する
　尚、透明プレート７による発光システムの詳細については後述する。
　また、本実施形態では透明プレート７の前面に凹部６１を形成しているが、透明プレート７の後面（透明遊技盤６と対向する面と反対側の面）に凹部６１を形成しても良い。」
キ　引用文献７
　原査定に係る拒絶理由で引用された、本願の出願日前に頒布された刊行物である特開２００９−２３３３８７号公報（以下「引用文献７」という。）には、図面とともに以下の事項が記載されている。
（ア）「【００１２】
　
遊技盤１の前面には、
センターケース１０、
が設けられている。
（イ）「【００２２】
　
センターケース１０は、遊技盤１の前面側から取り付けられ、装飾枠体３１
を含む。
　遊技盤１を構成する基板（いわゆるベニヤ）には、上記センターケース１０をはめ込むためのセンターケース用開口（図示省略）が形成され、上記
センターケース１０は、遊技盤１の前面からこのセンターケース用開口にはめ込まれて取り付けられる。
【００２３】　また
装飾枠体３１は、内側が前後に開口する枠状のもの
　また装飾枠体３１には、表示部６の上方に、前方に突出する鎧部３４が設けられ、この鎧部３４の上部は、その頂部３４ａを右方に偏らせるように両側に向けて下り傾斜している。鎧部３４は、遊技球が表示部６の前面に落下しないようにする部分である。
　一方、画面枠３２は、前記表示部６が臨む矩形の表示用開口部３３（図２に示す）を内側に有し、装飾枠体３１に対して固定される部材である。」
（ウ）【図２】及び【図５】には、センターケース用開口にはめ込まれて取り付けられる、装飾枠体３１の部分が記載されている。
【図２】
【図５】
　以上の記載事項から、引用文献７には、次の技術的事項が記載されているものと認められる。
　遊技盤１の前面側から取り付けられるセンターケース１０は、内側が前後に開口する枠状の装飾枠体３１を含み、センターケース用開口にはめ込まれて取り付けられる装飾枠体３１の部分を有すること。
ク　引用文献８
　原査定に係る拒絶理由で引用された、本願の出願日前に頒布された刊行物である特開２００９−１５３６７９号公報（以下「引用文献８」という。）には、図面とともに以下の事項が記載されている。
（ア）「【００２２】
　
遊技領域３ａには、中央部に形成された開口部３７
センター飾り（センター役物）２３
（イ）【図２】には、センター飾り２３の左上に、遊技領域３ａの開口部３７に挿入される部分が記載されている。
【図２】
　以上の記載事項から、引用文献８には、次の技術的事項が記載されているものと認められる。
　センター飾り２３の左上に、遊技領域３ａの開口部３７に挿入される部分を有すること。
ケ　引用文献９
　原査定に係る拒絶理由で引用された、本願の出願日前に頒布された刊行物である特開２００８−２１２７５０号公報（以下「引用文献９」という。）には、図面とともに以下の事項が記載されている。
（ア）「【００１５】
　
前面構成部材８は、
遊技盤１に形成された開口３１に該遊技盤１の前方から嵌装される部材であって、前面構成部材８の前面部分を構成する取付基板ユニット（取付基板体）４０と
該取付基板ユニット４０の裏面側に設けられる裏箱ユニット（裏箱体）４１と、該裏箱ユニット４１の前面に前記取付基板ユニット４０を取り付けて、その内部に収納される装飾ユニット４３とを備えている
【００１６】
　裏箱ユニット４１は、前記遊技盤１の開口３１に嵌装され、前方を開放した箱状ユニットであって、後方の壁に長方形状の表示用開口窓部３３が形成されて略額縁状を呈しており、前記裏面構成部材３２に内装するように装着されることにより、前記表示用開口窓部３３から前記変動表示装置９の表示部２９を臨ませるように成っている。この裏箱ユニット４１の周囲の適宜位置には、この前面に前記取付基板ユニット４０を取り付けるためのネジ等の止着部材を止着する止着部４４が配設されている。
【００１７】
　
取付基板ユニット４０は、前記表示用開口窓部３３よりも大きい開口部４６が形成された異形枠体状のユニットであって、その周囲に沿って前記遊技盤１に取り付ける取付基板４７を有しており
前記取付基板４７の後部には取付支持部５６が
一体成形されており、該取付支持部５６は前記取付基板４７から遊技盤１内へ臨むように後方へ向けて突設されている。
【００１８】
　また、前記取付基板ユニット４０には、前記ガイドレール５によって区画され、前記発射装置により発射された遊技球を導入部１７から遊技領域に案内する発射球案内通路１３（図１参照）とは反対側の部分の前記取付基板４７を前記鎧部５１から右側の前記遊技領域区画部材側へと延出させて、外形が前記遊技領域区画部材６に沿って円弧状に形成された取付基板延出部８１を設けている。この
取付基板延出部８１は、
前記装飾ユニット４３の前面を覆っており、
無色透明の合成樹脂材により形成されて、後方の装飾ユニット４３が視認可能なカバー部材を構成している
取付基板延出部８１は、その前方を遊技球が流下可能に形成され
（イ）「【００２１】
　前述したように、前記裏箱ユニット４１の前面に前記取付基板ユニット４０を取り付けて、これらの内部に装飾ユニット４３を収納している。
装飾ユニット４３は
上装飾ユニット９５、左装飾ユニット９６及び右装飾ユニット９７から構成され、
（ウ）「【００２４】
　なお、
各装飾ユニット９５，９６，９７は複数の部品を組み合わせてユニット化されており、例えば、左装飾ユニット９６は、
裏面側発光基板１６０を備えるとともに、
　以上の記載事項から、引用文献９には、次の技術的事項が記載されているものと認められる。
　遊技盤１に形成された開口３１に該遊技盤１の前方から嵌装される前面構成部材８の前面部分を構成する取付基板ユニット４０と、取付基板ユニット４０の内部に収納される装飾ユニット４３とを有し、取付基板ユニット４０は、前記表示用開口窓部３３よりも大きい開口部４６が形成された異形枠体状のユニットであって、その周囲に沿って前記遊技盤１に取り付ける取付基板４７を有しており、前記取付基板４７の後部には取付支持部５６が一体成形されており、該取付支持部５６は前記取付基板４７から遊技盤１内へ臨むように後方へ向けて突設されており、取付基板延出部８１は、前記装飾ユニット４３の前面を覆っており、無色透明の合成樹脂材により形成されて、後方の装飾ユニット４３が視認可能なカバー部材を構成し、その前方を遊技球が流下可能に形成されており、装飾ユニット４３は、上装飾ユニット９５、左装飾ユニット９６及び右装飾ユニット９７から構成され、左装飾ユニット９６は、裏面側発光基板１６０、前面側発光基板１６４を備え、複数の部品と共に文字装飾１２５を構成していること。
（２）対比
　本願発明と引用発明１とを対比する。
ａ、ｄ、ｆ、ｇ、ｈ２、ｈ５、ｊ　引用発明１の「遊技盤２０２」、「ワープルート３０４」、「傾斜片面４０３」、「基底片面４０１Ｂ，４０１Ｃ，４０１Ｄ」、「基底片面４０１Ａの傾斜片面４０３に沿った方向の長さは、パチンコ球の直径よりも長」いこと、「センター装飾部材２０５の上中央外側から上左外側にかけて形成された転動領域２３２にセンター装飾部材２０５の基底片面４０１Ａが配設され」ること、及び「パチンコ機」は、それぞれ本願発明の「遊技板」、「ワープ通路」、「区画壁部」、「フランジ部」、「遊技球の直径よりも前記区画壁部に沿った方向の長さを長く前記遊技領域拡張部を形成」すること、「前記センター役物に設けられる頂部に衝突した遊技球が流下する左側流下領域に遊技領域拡張部が設けられ」ること、及び「遊技機」に相当する。
ｂ　引用発明１の「センター装飾部材２０５」は、その一部が「遊技盤２０２に形成された中央開口部２０１の一部を塞ぐように、螺子などによって」「遊技盤２０２の表面（正面）に」「固定される」のであるから、遊技盤２０２の中央開口部２０１に挿入されてはいないが、遊技盤２０２の中央開口部２０１に取付けられている。そうすると、引用発明１の「ｂ　遊技盤２０２の表面（正面）に、センター装飾部材２０５の一部が遊技盤２０２に形成された中央開口部２０１の一部を塞ぐように、螺子などによって固定されるセンター装飾部材２０５」と、本願発明の「Ｂ　該遊技板の前記開口部内に挿入されたセンター役物」とは、「Ｂ’　該遊技板の前記開口部に取付けられたセンター役物」である点で共通する。
ｈ　引用発明１の「基底片面４０１Ａ」は、「突出片面４０２に対して径方向内側に配置された傾斜片面４０３の径方向外側に基底片面４０１Ａが配置され」るものであり、「遊技盤２０２の盤面２０２Ａ上の転動領域２３２から延長された新たな転動領域として機能」するものであるから、本願発明の「拡張された拡張遊技領域」と同等の機能を有するものである。そうすると、引用発明１の構成ｈにおける「遊技盤２０２の盤面２０２Ａ上にはないけれども、遊技盤２０２の盤面２０２Ａ上の転動領域２３２から延長された新たな転動領域として機能」する、「突出片面４０２に対して径方向内側に配置された傾斜片面４０３の径方向外側に」「配置され」た、「表示画面２０３の一部と重なり合ったセンター装飾部材２０５の基底片面４０１Ａ」は、本願発明の「Ｈ　前記区画壁部の少なくとも一部を、正面視において前記開口部の内縁よりも径方向内側の所定位置に配置することで、前記挿入部と前記区画壁部との間に拡張された拡張遊技領域を形成する遊技領域拡張部」と、「Ｈ’　前記区画壁部の少なくとも一部を、正面視において前記開口部の内縁よりも径方向内側の所定位置に配置することで、拡張された拡張遊技領域を形成する遊技領域拡張部」である点で共通する。
ｈ１　引用発明１の「基底片面４０１Ａ」は、引用発明１の構成ｈに「表示画面２０３の一部と重なり合ったセンター装飾部材２０５の基底片面４０１Ａは、遊技盤２０２の盤面２０２Ａ上にはない」とあり、また、引用発明１の構成ｃ１に「表示画面２０３から放たれた光は、表示画面２０３の一部と重なり合ったセンター装飾部材２０５の基底片面４０１Ａを通過し遊技者側にそのままの状態で達し」とあることからして、「遊技盤２０２」の「中央開口部２０４」の内縁よりも径方向内側に形成されていることは明らかである。そうすると、引用発明１の「ｈ１　センター装飾部材２０５の基底片面４０１Ａは無色透明の光透過性材質であるポリカーボーネート樹脂で成型加工されて」いることは、本願発明の「Ｈ１　正面視において前記遊技板の前記開口部の内縁よりも径方向内側に形成された前記遊技領域拡張部は、透光可能に透明な部材で形成され」ることに相当する。
ｃ１　引用発明１は、本願発明の「Ｃ　立体的な装飾がなされている装飾部」に対応する構成を備えていないが、引用発明１の「基底片面４０１Ａ」は、「表示画面２０３の一部と重ね合わせるようにして」設けられており、「表示画面２０３から放たれた光は、表示画面２０３の一部と重なり合ったセンター装飾部材２０５の基底片面４０１Ａを通過し遊技者側にそのままの状態で達」することから、「基底片面４０１Ａ」を介して、後方に位置する「表示画面２０３」を視認可能であるといえる。そうすると、上記ｈ１で示した点を踏まえ、引用発明１の「ｃ１　表示画面２０３の一部と重ね合わせるようにして、遊技盤２０２の盤面２０２Ａ上の転動領域２３２からセンター装飾部材２０５の傾斜片面４０３にかけてセンター装飾部材２０５の基底片面４０１Ａを渡し設けており、表示画面２０３から放たれた光は、表示画面２０３の一部と重なり合ったセンター装飾部材２０５の基底片面４０１Ａを通過し遊技者側にそのままの状態で達」することは、本願発明の「Ｃ１　立体的な装飾がなされている前記装飾部は、透明な部材で正面視において前記遊技板の前記開口部の内縁よりも径方向内側に形成されている前記遊技領域拡張部を介し、前記装飾部の装飾が視認可能となるように前記遊技領域拡張部の後方に位置し、前記遊技領域拡張部の後方から前記区画壁部の径方向内側の位置まで跨って設けられ」ることと、「Ｃ１’　透明な部材で正面視において前記遊技板の前記開口部の内縁よりも径方向内側に形成されている前記遊技領域拡張部を介し、前記遊技領域拡張部の後方に位置する部材が視認可能である」点で共通する。
ｉ　引用発明１において、「センター装飾部材２０５の基底片面４０１Ａは表示画面２０３の一部と重なり合っている」ことから、基底片面４０１Ａの後方には、表示画面２０３があり、表示画面が一般に発光手段を備えていることは明らかである。そうすると、引用発明１の「ｉ　センター装飾部材２０５の基底片面４０１Ａは表示画面２０３の一部と重なり合っている」ことと、本願発明の「Ｉ　前記遊技領域拡張部の後方には、前記遊技領域拡張部を発光装飾する発光手段が備えられている」とは、「Ｉ’　前記遊技領域拡張部の後方には、発光手段が備えられている」点で共通する。
　そうすると、両者は、
「Ａ　前面に遊技領域を有し該遊技領域内に開口部が形成された遊技板と、
Ｂ’　該遊技板の前記開口部内に取付けられたセンター役物と、を備え、
Ｂ１　該センター役物は、
Ｄ　前記センター役物の外側に向かって開口したワープ入口及び前記センター役物の内側に向かって開口したワープ出口を連通するワープ通路と、
Ｆ　前記遊技板の前面よりも遊技者側に突出し、前記遊技領域と前記センター役物の内部空間とを区画する区画壁部と、
Ｇ　前記挿入部よりも径方向外側に突出し前記遊技板の前面に当接するフランジ部と、
Ｈ’　前記区画壁部の少なくとも一部を、正面視において前記開口部の内縁よりも径方向内側の所定位置に配置することで、拡張された拡張遊技領域を形成する遊技領域拡張部と、を具備し、
Ｈ１　正面視において前記遊技板の前記開口部の内縁よりも径方向内側に形成された前記遊技領域拡張部は、透光可能に透明な部材で形成され、
Ｃ１’　透明な部材で正面視において前記遊技板の前記開口部の内縁よりも径方向内側に形成されている前記遊技領域拡張部を介し、前記遊技領域拡張部の後方に位置する部材が視認可能であり、
Ｈ２　遊技球の直径よりも前記区画壁部に沿った方向の長さを長く前記遊技領域拡張部を形成し、
Ｈ５　前記センター役物に設けられる頂部に衝突した遊技球が流下する左側流下領域に遊技領域拡張部が設けられ、
Ｉ’　前記遊技領域拡張部の後方には、発光手段が備えられている
Ｊ　遊技機。」
の点で一致し、以下の４点で相違する。
相違点１　本願発明の「センター役物」は、「Ｅ　前記遊技板の前記開口部に挿入されている挿入部」を具備しており、遊技板の開口部へのセンター役物の取付け（構成Ｂ）に関して、「挿入」して取付けており、「Ｅ１　前記挿入部は、前記遊技領域拡張部の後方に空間が形成されるように配置され」ており、「遊技領域拡張部」は「前記挿入部と前記区画壁部との間に拡張された拡張遊技領域を形成する」（構成Ｈ）ものであり、「Ｈ４　前記挿入部と前記遊技板との間に生じる空間の幅よりも前記遊技領域拡張部である前記挿入部と前記区画壁部との間の幅のほうが大きくなっており」としているのに対し、引用発明１では、「センター装飾部材２０５」は「挿入部」を備えておらず、センター装飾部材２０５は遊技盤２０２に、螺子などによって固定されており、挿入部の配置について特定されておらず、遊技領域拡張部の配置についても挿入部に基づいて特定されていない点。
相違点２　本願発明は「Ｃ　立体的な装飾がなされている装飾部」を備え、「Ｃ１’　透明な部材で正面視において前記遊技板の前記開口部の内縁よりも径方向内側に形成されている前記遊技領域拡張部を介し、前記遊技領域拡張部の後方に位置する部材が視認可能である」点に関し、「立体的な装飾がなされている前記装飾部」を視認可能であるとしていると共に、「立体的な装飾がなされている前記装飾部」は「前記遊技領域拡張部の後方から前記区画壁部の径方向内側の位置まで跨って設けられ」ているのに対し、引用発明１では「装飾部」を備えておらず、「遊技領域拡張部の後方に位置する部材」（構成Ｃ１’）は「表示画面２０３」であり、「装飾部」を設ける位置の限定もされていない点。
相違点３　本願発明では「Ｈ３　前記遊技領域拡張部の遊技球通過面よりも遊技者側において装飾をなす特別装飾部が、前記遊技領域拡張部に対して正面視で前記区画壁部を挟んで径方向内側に設けられ」との構成を有しているのに対し、引用発明１では当該構成を有していない点。
相違点４　「遊技領域拡張部の後方」に備えられている「発光手段」（構成Ｉ’）について、本願発明では、「遊技領域拡張部を発光装飾する発光手段」であるのに対し、引用発明１では「表示画面２０３」である点。
（３）相違点についての判断
　以下、相違点について検討する。
ア　相違点１について
　引用文献７には、装飾枠体３１（本願発明の「センター役物」に相当する。）が、開口にはめ込まれて取り付けられる部分（本願発明の「挿入部」に相当する。）を有することが記載されている。また、引用文献８には、センター飾り２３（本願発明の「センター役物」に相当する。）が、遊技領域３ａの開口部３７に挿入される部分（本願発明の「挿入部」に相当する。）を有することが記載されている。さらに、引用文献９には、取付基板ユニット４０（本願発明の「センター役物」に相当する。）が、遊技盤１内へ臨むように後方へ向けて突設されている取付支持部５６（本願発明の「挿入部」に相当する。）を有し、遊技盤１に形成された開口３１に前方から嵌装されることが記載されている。
　これらの記載事項に基づけば、引用発明１において、センター装飾部材２０５を遊技盤２０２に取付けるにあたり、中央開口部２０４に挿入する部分をセンター装飾部材２０５に設け、該挿入する部分を中央開口部２０４に挿入することによりセンター装飾部材２０５を遊技盤２０２に取付けるようにすること（本願発明の構成Ｂ，Ｅをなすこと）は、当業者にとって容易であるといえる。
　そして、そのようにした場合、基底片面４０１Ａは、センター装飾部材２０５の挿入する部分と傾斜片面４０３との間に形成されること（本願発明の構成Ｈ）となり、また、センター装飾部材２０５の挿入する部分と中央開口部２０４との間に生じる空間の幅は、挿入することにより取付けるために小さい必要があるから、センター装飾部材２０５と傾斜片面４０３との間の幅の方が大きくなる（本願発明の構成Ｈ４）ものといえる。
　さらに、引用発明１の「センター装飾部材２０５の基底片面４０１Ａ」は、「無色透明の光透過性材質であるポリカーボーネート樹脂で成型加工されて」おり（構成ｈ１）、表示画面２０３のカラー画像は、センター装飾部材２０５を介しても変色することなく見ることができる（記載事項（ウ）【００２３】）ことからして、「センター装飾部材２０５の基底片面４０１Ａ」の後方に表示画面２０３が取付けられるような空間が形成されていることは明らかであり、上記のようにセンター装飾部材２０５に挿入する部分を設ける際には、基底片面４０１Ａの後方に空間が形成されるようにする（構成Ｅ１）ことも、当業者であれば容易に為し得たことである。
　そうすると、上記相違点１に係る発明は、引用発明１及び引用文献７、８又は９に記載された事項から、当業者であれば容易に想到し得たものである。
イ　相違点２について
　上記相違点２について検討する。
　引用文献２乃至６それぞれに記載されるように、立体的な装飾がなされている装飾部を、その後方に配置されたＬＥＤ等の発光手段と共に、遊技領域の後方に配置することは、周知技術であるといえる。そうすると、引用発明１において、センター装飾部材２０５の基底片面４０１Ａの後方に、立体的な装飾がなされている装飾部を、単に設けようとすることは、当業者であれば適宜に為し得たことである。
　また、引用文献９には、取付基板延出部８１は、前記装飾ユニット４３の前面を覆っており、無色透明の合成樹脂材により形成されて、後方の装飾ユニット４３が視認可能なカバー部材を構成し、その前方を遊技球が流下可能に形成されていること、すなわち、遊技球が流下可能な取付基板延出部８１の後方に、装飾ユニット４３を設け、装飾ユニット４３を視認可能とすることが記載されている。このような事項に基づけば、引用発明１において、センター装飾部材２０５の基底片面４０１Ａの後方に、装飾ユニット４３のような装飾部を設けようとすることは、当業者であれば想到し得たことであると一応いえる。
　一方、引用発明１においては、「表示画面２０３の一部と重ね合わせるようにして、遊技盤２０２の盤面２０２Ａ上の転動領域２３２からセンター装飾部材２０５の傾斜片面４０３にかけてセンター装飾部材２０５の基底片面４０１Ａを渡し設けており、表示画面２０３から放たれた光は、表示画面２０３の一部と重なり合ったセンター装飾部材２０５の基底片面４０１Ａを通過し遊技者側にそのままの状態で達し」（構成ｃ１）ており、基底片面４０１Ａの後方から、傾斜片面４０３の径方向内側の位置（本願発明の構成Ｃ１の「遊技領域拡張部の後方から前記区画壁部の径方向内側の位置まで跨っ」た、に対応する位置）には、表示画面２０３が配置されている。このような位置に立体的な装飾がなされている装飾部を設けるためには、表示画面２０３をこの位置から排除しなければならないが、引用文献１には「センター装飾部材に外周が取り囲まれた表示画面が大型化又は偏在されても、パチンコ球が転動流下可能な転動領域のスペースを十分に確保するとともに表示画面の視認に支障がない構造を有したパチンコ機を提供することを課題とする」（記載事項（ア）【０００９】）と記載されるように、引用発明１は表示画面が大型化又は偏在されても転動領域のスペースを十分に確保するとともに表示画面の視認に支障がないようにすることを課題とするものであり、引用発明１において、上記の位置から表示画面２０３を排除した上で、立体的な装飾がなされている装飾部を設けることは、表示画面の大型化や表示画面の視認に支障がないようにすることに反する構成にすることを強いるものであり、当業者にとって容易に想到し得たものであるとはいえない。また、この点に関し、引用文献７又は８には、何ら記載されていない。
　そうすると、引用発明１、上記周知技術及び引用文献７乃至９それぞれに記載された事項に基づいて、上記相違点２に係る本願発明の構成とすることは、当業者にとって容易に想到し得たものではない。
ウ　相違点３について
　引用発明１において、上記相違点３に係る本願発明の構成とするためには、傾斜片面４０３の径方向内側に、基底片面４０１Ａの遊技球通過面よりも遊技者側において装飾をなす部材を設けなければならない。
　しかし、引用文献１には、センター装飾部材２０５の基底片面４０１Ａよりも遊技者側に、装飾をなす部材を設けることについて何ら記載されておらず、引用発明１において、そのような装飾をなす部材を設けること、設けるとして傾斜片面４０３の径方向内側の位置とすることの動機付けは、ない。
　また、仮に、引用発明１において傾斜片面４０３の径方向内側に、基底片面４０１Ａの遊技球通過面よりも遊技者側において装飾をなす部材を設けたとすると、引用発明１においては、「表示画面２０３の一部と重ね合わせるようにして、遊技盤２０２の盤面２０２Ａ上の転動領域２３２からセンター装飾部材２０５の傾斜片面４０３にかけてセンター装飾部材２０５の基底片面４０１Ａを渡し設けており」（構成ｃ１）、基底片面４０１Ａに対して傾斜片面４０３の径方向内側には、表示画面２０３が配置されており、上記装飾をなす部材を設けると、表示画面２０３を支障することになる。上記相違点２について示したように、引用文献１には、表示画面の視認に支障がないようにすることを課題とすることが記載されており、引用発明１において、表示画面２０３を支障するような位置に装飾をなす部材を設けることは、当該課題の解決を阻害することとなり、当業者にとって容易に想到し得たものであるとはいえない。また、この点に関し、引用文献２乃至９には、何ら記載されていない。
　そうすると、引用発明１、上記周知技術及び引用文献７乃至９それぞれに記載された事項に基づいて、上記相違点３に係る本願発明の構成とすることは、当業者にとって容易に想到し得たものではない。
エ　相違点４について
　上記相違点２について示したとおり、引用文献２乃至６それぞれに記載されるように、立体的な装飾がなされている装飾部を、その後方に配置されたＬＥＤ等の発光手段と共に、遊技領域の後方に配置することは、周知技術であるといえる。そうすると、引用発明１において、センター装飾部材２０５の基底片面４０１Ａの後方に、立体的な装飾がなされている装飾部とその後方に配置されたＬＥＤ等の発光手段とを、単に設けることは、当業者であれば適宜に為し得たことである。
　また、引用文献９には、取付基板延出部８１の後方で視認可能な装飾ユニット４３を、発光基板７及び複数の部品から構成することが記載されており、このような事項に基づけば、引用発明１において、センター装飾部材２０５の基底片面４０１Ａの後方に、装飾ユニット４３のような発光基板を備えた装飾部を設けることは、当業者であれば想到し得たことであると一応いえる。
　ここで、構成ｉについての対比で示したように、引用発明１では、基底片面４０１Ａの後方には、表示画面２０３の発光手段があるが、表示画面２０３の発光手段は表示画面２０３に表示を行わせるためのものであり、基底片面４０１Ａを発光装飾するためのものではない。
　そして、上記周知技術または引用文献９に記載された事項に基づいて、基底片面４０１Ａの後方に、立体的な装飾がなされている装飾部とその後方に配置されたＬＥＤ等の発光手段とを設けるとした場合、当該発光手段により装飾部の装飾と共に基底片面４０１Ａが発光装飾されるものとなることも考えられる。
　しかし、引用発明１の基底片面４０１Ａの後方の表示画面２０３の発光手段に代えて、上記周知技術または引用文献９に記載された事項に基づくＬＥＤ等の発光手段を適用するためには、表示画面２０３をこの位置から排除しなければならないが、上記相違点２について示したことと同様、引用発明１において、この位置から表示画面２０３を排除した上で、ＬＥＤ等の発光手段を設けることは、当業者にとって容易に想到し得たものであるとはいえない。また、この点に関し、引用文献７又は８には、何ら記載されていない。
　そうすると、引用発明１、上記周知技術及び引用文献７乃至９それぞれに記載された事項に基づいて、上記相違点４に係る本願発明の構成とすることは、当業者にとって容易に想到し得たものではない。
（４）小括
　以上のとおり、本願発明の相違点２、３及び４に係る構成に関して、引用発明１、上記周知技術及び引用文献７乃至９それぞれに記載された事項に基づいて当業者が容易に想到し得たものということはできない。
３　まとめ
　したがって、本願については、原査定の拒絶理由を検討してもその理由によって拒絶すべきものとすることはできない。
第４　当審拒絶理由について
１　当審拒絶理由の概要
　当審拒絶理由の概要は次のとおりである。
　理由１．（明確性）本件出願は、特許請求の範囲の記載が次の点で不備のため、特許法第３６条第６項第２号に規定する要件を満たしていない。
・請求項１
　平成３０年２月１４日付けの手続補正書により補正された特許請求の範囲の請求項１の記載の、「前記区画壁部と該区画壁部よりも径方向内側において該遊技領域拡張部の遊技球通過面よりも遊技者側において装飾をなす特別装飾部とが並ぶ位置」とは、どのような位置を意図しているのか、明確であるとは言えない。
　したがって、本願の請求項１に係る発明は、不明確である。
　理由２．（進歩性）本件出願の請求項１に係る発明は、以下の引用文献Ａ及びＢに記載された発明に基いて、その出願前にその発明の属する技術の分野における通常の知識を有する者が容易に発明をすることができたものであるから、特許法第２９条第２項の規定により特許を受けることができない。
引用文献等一覧
Ａ．特開２０１０−２２７４３０号公報（原査定の引用文献５）
Ｂ．特開２００９−２３３３８７号公報（原査定の引用文献７）
２　明確性に係る当審拒絶理由についての判断
　当審拒絶理由の理由１（明確性）に対して、平成３１年１月２２日付けの手続補正書による補正により、特許請求の範囲は上記「第２　本願発明」において摘示したとおりに補正された。
　このことにより、特許請求の範囲の記載は明確となった。
　したがって、本願については、明確性についての当審拒絶理由によって拒絶すべきものとすることはできない。
３　進歩性に係る当審拒絶理由についての判断
（１）引用文献の記載事項
ア　引用文献Ａ
　当審拒絶理由に引用された引用文献Ａには、図面とともに、次の記載がある（下線は当審にて付した。以下、「記載事項」として参照することがある）。
（ア）「【０００５】
　ところで、
遊技盤を大型化する場合には、
遊技盤保持部を中枠の上方位置へ拡げるよう構成することが求められる。この場合に
遊技盤(特に遊技領域)の上部位置を照明する照明装置を設置することが困難で、遊技盤(遊技領域)の上部位置の装飾性が低下する
（イ）「【００１５】
　(パチンコ機について)　実施例に係る
パチンコ機１０
（ウ）「【００１９】
(遊技盤について)
　前記中枠１２の遊技盤保持部２４に配設される前記
遊技盤３０は、
アクリルやポリカーボネート等の光透過性の合成樹脂材からなる平板状の透明板３１と、該透明板３１の後面に組み付けられて前記図柄表示装置１９が着脱可能に配設されると共に上部および左右の側部発光演出装置８０,８１,１２０(後述)や可動演出装置１４０,１４１が配設される不透明な合成樹脂材で形成された裏ユニット５７とから構成され
【００２０】
(透明板について)
　図３〜図５に示すように、前記
透明板３１の前面には
案内レール３６が配設されると共に
第１の盤面飾り部材３５ａが配設され
前記案内レール３６および第１の盤面飾り部材３５ａにより、パチンコ球が流下可能な遊技領域３４が略円形状に画成される
（エ）「【００２２】
　また、前記
透明板３１には
前後に貫通する貫通口３１ａ
が形成され
該貫通口３１ａに対して前後に開口する枠状の枠状装飾体
４３
が配設されている
枠状装飾体４３は、透明板３１より前面に突出する円弧状の庇状部４８
が備えられており、前記遊技領域３４に打ち出されたパチンコ球が枠状装飾体４３の窓口４３ａを横切って流下(落下)するのを庇状部４８で規制している
（オ）「【００２５】
(枠状装飾体について)
　前記枠状装飾体４３は、図３に示すように、前後に窓口４３ａが開口する枠状に形成されて、前記遊技盤３０に開設された貫通口３１ａに前側から取り付けられている。そして、前記枠状装飾体４３を第１装着口３２ａに配設した際に、前記裏ユニット５７に形成した開口部６０が枠状装飾体４３の窓口４３ａ内で開口して、該窓口４３ａを介して裏ユニット５７に設けた図柄表示装置１９を前側から視認し得るよう構成されている。なお、実施例では、前記枠状本体部の窓口４３ａより裏ユニット５７の開口部６０の方が大きく形成されて、該開口部６０を介して臨む図柄表示装置１９の一部が前記透明板３１に対向し、該透明板３１を介して図柄表示装置１９を前側から視認されるようになっている。また、
前記枠状装飾体４３の左側部には、前記遊技領域３４を流下するパチンコ球が通入可能な球誘導部４４が設けられると共に、該装飾部材４９の下縁部(始動入賞装置３９の上方位置)に、球誘導部４４を通過したパチンコ球を受け入れてパチンコ球の流下方向を変更しつつ最終的に遊技領域３４内に排出するステージ４５が設けられている。
【００２６】
　ここで、
前記枠状装飾体４３は、
前記透明板３１に開設された前記貫通口３１ａに沿って延在する環状に形成され、該透明板３１の盤面にネジ固定される固定板４６と、該固定板４６から後方に突出し、前記貫通口３１ａ内に挿入される内周壁４７と、該固定板４６から前方へ突出する前記庇状部４８とを備え
前記庇状部４８は、前記固定板４６の左側端部から上端部および右側端部に亘って延在するよう形成されて、前記遊技領域３４を流下する過程で庇状部４８に接触したパチンコ球を、該庇状部４８に沿って前記枠状装飾体４３の左右側方に誘導することで、前記窓口４３ａを横切ってパチンコ球が流下しないようにしている。
前記枠状装飾体４３の全体(固定板４６、内周壁４７および庇状部４８)が有色または無色の光透過性の合成樹脂材により形成されて、該枠状装飾体４３を介して裏ユニット５７を前側から視認し得るようになっている
【００２７】
　また、図３に示すように、
前記枠状装飾体４３には、前記庇状部４８の前端側に、前記窓口４３ａの開口内側に延出する装飾部材４９が庇状部４８に沿って延在するよう設けられている
【００２８】
(前側発光演出装置について)
　前側発光演出装置５０は、図１１に示すように、前記装飾部材４９に取り付けられて取付ベース５１と、該取付ベース５１に配設されて前方へ向けて光を照射するＬＥＤ５２ａを有する前側ＬＥＤ基板５２と、該取付ベース５１に配設されて前側ＬＥＤ基板５２の前面を覆う光透過性の前側レンズ部材５３とを備え、前側ＬＥＤ基板５２に設けたＬＥＤ５２ａからの光が前側レンズ部材５３を透過して機前方へ照射されるようになっている。なお、前記前側ＬＥＤ基板５２は、前方に開口する光透過性の基板ケース５５に収容されて、該基板ケース５５が取付ベース５１に固定される。
【００２９】
　前記取付ベース５１および
前側レンズ部材５３は
その一部分が前記庇状部４８の外方(上方)へ突出するよう形成されて
（カ）「【００３７】
　ここで、図９または図１１に示すように、
前記右上部ＬＥＤ基板７２は、
前記枠状装飾体４３の固定板４６に設けられた前記第２光拡散部材５４ｂの後方に位置し、右上部ＬＥＤ基板７２において前記前側発光演出装置５０の前側レンズ部材５３(突出部分５３ａ)と対向する部位の前面略全体が第２光拡散部材５４ｂにより覆われている
これにより、
該右上部ＬＥＤ基板７２のＬＥＤ７２ａからの光を、該第２光拡散部材５４ｂにより拡散して前記前側レンズ部材５３の突出部分５３ａに照射し得るようになっている
（キ）「【００６５】
(上部発光演出装置１２０)
　
前記裏ユニット５７の左上方に配設される前記上部発光演出装置１２０は、
外郭をなすベース部材１２１と、該ベース部材１２１の裏側に配設される第２レンズ部材１２６と、該第２レンズ部材１２６の裏側に離間して配設された上側ＬＥＤ基板１２９と、第２レンズ部材１２６および上側ＬＥＤ基板１２９の間に配置された第２の光拡散シート１３０と、第２の光拡散シート１３０および上側ＬＥＤ基板１２９の間に配設される第１および第２の仕切り部材１３５,１３７とから基本的に構成されている。前記ベース部材１２１は、後方へ開放する箱状に形成されて、該ベース部材１２１の前面板１２２に対して各種識別情報を象った貫通孔１２２ａ〜１２２ｅが形成されている。
前記ベース部材１２１の左側に位置する識別情報に対応する貫通孔１２２ａ〜１２２ｅから順に第１〜第５貫通孔１２２ａ〜１２２ｅ
（ク）「【００７７】
　すなわち、前記裏ユニット５７の段差部７０に配設された前記左右の上部ＬＥＤ基板７２,７６を覆うレンズ部材を裏ユニット５７側に配設する必要がないから、前記段差部７０の前後寸法を左右の上部ＬＥＤ基板７２を設置するのに必要な最小限とし得る。すなわち、上固定部６２ａにＬＥＤ基板７２,７６を配設するスペースを確保するだけで、前記中枠１２に設けられた球タンク２６と前後に重なって前後の寸法を確保し得ない遊技盤３０の上部位置を照明することができ、遊技盤３０の装飾性の向上を図ることができる。また、
前記右上部ＬＥＤ基板７２
を裏ユニット５７側に配設して、透明板３１の裏側から照明するよう構成したことで、遊技領域３４を照明するため装置を透明板３１側に設ける必要がなく、該透明板３１に形成される遊技領域３４を大きくすることができる
（ケ）「【００８７】
　また、前記遊技盤３０(裏ユニット５７)の側部位置に設けられた
前記上部発光演出装置１２０は、ベース部材１２１の前面板１２２に第１〜第５識別情報を象った貫通孔１２２ａ〜１２２ｅを形成し
第１〜第５識別情報を個別に明瞭に明輝させることができ、各識別情報による装飾性を向上し得る
（コ）【図１１】には、固定板４６と、該固定板４６から図面右方向（後方）に突出し、透明板３１の貫通口３１ａから所定距離離間して該貫通口３１ａ内に挿入される内周壁４７と、内周壁４７から図面下方向に離間した位置で、固定板４６から図面左方向（前方）に突出する庇状部４８とが設けられ、貫通口３１ａと内周壁４７との間の図面上下方向の距離より、内周壁４７と庇状部４８との間の図面上下方向の距離が大きいこと、また、固定板４６の、内周壁４７と庇状部４８との間の図面右方向（後方）には、空間が形成されるように内周壁４７が位置しており、該空間のさらに図面右方向（後方）に右上部ＬＥＤ基板７２が位置していることが記載されている。
【図１１】
（サ）上部発光演出装置１２０に関し、【図６】には、裏ユニット５７の左上に上部発光演出装置１２０が配置されることが、また、【図６】と【図３】とをあわせ見ると、上部発光演出装置１２０は装飾部材４９の後側に配置されることが、記載されている。
【図６】
【図３】
イ　以上の記載事項から、引用文献Ａには、次の技術的事項が記載されているものと認められる（以下、「認定事項」として参照することがある）。
（ａ）記載事項（ウ）から、透明板３１の前面には、案内レール３６が配設されると共に、第１の盤面飾り部材３５ａが配設され、案内レール３６および第１の盤面飾り部材３５ａにより、パチンコ球が流下可能な遊技領域３４が略円形状に画成されることが記載されている。また、記載事項（エ）から、透明板３１には、前後に貫通する貫通口３１ａが形成されており、この貫通口３１ａについて、記載事項（エ）には、該貫通口３１ａに対して前後に開口する枠状の枠状装飾体４３が配設されており、枠状装飾体４３は、透明板３１より前面に突出する円弧状の庇状部４８が備えられており、前記遊技領域３４に打ち出されたパチンコ球が枠状装飾体４３の窓口４３ａを横切って流下(落下)するのを庇状部４８で規制していることが記載されていることからして、貫通口３１ａは、パチンコ球が流下可能な遊技領域３４内に形成されているものである。そうすると、引用文献Ａには、
前面に遊技領域３４が画成され該遊技領域３４内に貫通口３１ａが形成された透明板３１
（ｂ）記載事項（エ）から、
透明板３１の貫通口３１ａに配設された枠状装飾体４３
（ｃ）記載事項（キ）から、上部発光演出装置１２０は、外郭をなすベース部材１２１、該ベース部材１２１の裏側に配設される第２レンズ部材１２６、該第２レンズ部材１２６の裏側に離間して配設された上側ＬＥＤ基板１２９等から構成され、ベース部材１２１の前面板１２２に対して各種識別情報を象った貫通孔１２２ａ〜１２２ｅが形成されていることから、立体的な形状を有していることは明らかである。そうすると、引用文献Ａには、
立体的な形状を有する上部発光演出装置１２０
（ｄ）記載事項（オ）（【００２５】）から、枠状装飾体４３には、遊技領域３４を流下するパチンコ球が通入可能な球誘導部４４が設けられることが記載されており、この球誘導部４４が、枠状装飾体４３の外側の遊技領域３４に向かってパチンコ球の入口を有することは明らかである。また、記載事項（オ）（【００２５】）の、該装飾部材４９の下縁部(始動入賞装置３９の上方位置)に、球誘導部４４を通過したパチンコ球を受け入れてパチンコ球の流下方向を変更しつつ最終的に遊技領域３４内に排出するステージ４５が設けられているとの記載から、球誘導部４４が、枠状装飾体４３の内側に向かってパチンコ球の出口を有することも明らかである。そうすると、引用文献Ａには、
枠状装飾体４３に設けられ、枠状装飾体４３の外側の遊技領域３４に向かってパチンコ球の入口を有し、枠状装飾体４３の内側に向かってパチンコ球の出口を有する、パチンコ球が通入可能な球誘導部４４
（ｅ）記載事項（オ）（【００２６】）から、
枠状装飾体４３は透明板３１の貫通口３１ａ内に挿入される内周壁４７を備えること
（ｇ）記載事項（オ）（【００２６】）から、枠状装飾体４３は、透明板３１に開設された貫通口３１ａに沿って延在する環状に形成され、透明板３１の盤面にネジ固定される固定板４６を備えることが記載されており、上記認定事項（ｅ）の通り、内周壁４７が貫通口３１ａ内に挿入されることからすると、上記固定板４６は、貫通口３１ａに沿って延在する環状に形成されているのであるから、内周壁４７に対しては径方向外側に突出することになる。そうすると、引用文献Ａには、
枠状装飾体４３は内周壁４７に対して径方向外側に突出し、透明板３１の盤面にネジ固定される固定板４６を備えること
（ｆ）記載事項（オ）（【００２６】）から、枠状装飾体４３は、固定板４６から前方へ突出する庇状部４８を備えることが記載されており、上記認定事項（ｇ）の通り、固定板４６は透明板３１の盤面にネジ固定されることからすると、上記庇状部４８が固定板４６から前方へ突出していることから、庇状部４８が透明板３１の前面よりも前方へ突出していることは明らかである。また、記載事項（オ）（【００２６】）の、庇状部４８は、遊技領域３４を流下する過程で庇状部４８に接触したパチンコ球を、庇状部４８に沿って枠状装飾体４３の左右側方に誘導することで、前記窓口４３ａを横切ってパチンコ球が流下しないようにしているとの記載から、庇状部４８は、遊技領域３４と枠状装飾体４３の内部空間とを区画していることは明らかである。そうすると、引用文献Ａには、
枠状装飾体４３は透明板３１の前面よりも前方へ突出し、遊技領域３４と枠状装飾体４３の内部空間とを区画している庇状部４８を備えること
（ｈ）記載事項（コ）から、固定板４６と、該固定板４６から後方に突出し、透明板３１の貫通口３１ａから所定距離離間して該貫通口３１ａ内に挿入される内周壁４７と、内周壁４７から図面下方向に離間した位置で、固定板４６から前方に突出する庇状部４８とが設けられることが記載されており、【図１１】は【図９】のＡ−Ａ線断面図である（【００１３】）ことからすると、記載事項（コ）は、枠状装飾体４３の上部の一部についてのものであり、上記図面下方向は、正面視において径方向内側であると言える。また、内周壁４７は、貫通口３１ａから所定距離離間して該貫通口３１ａ内に挿入されるのであるから、庇状部４８を、内周壁４７から図面下方向に離間した位置に設けることは、貫通口３１ａから正面視において貫通口３１ａから径方向内側に離間した位置に設けることであると言える。そして、上記認定事項（ｆ）で示したように、庇状部４８は、遊技領域３４を流下する過程で庇状部４８に接触したパチンコ球を、庇状部４８に沿って枠状装飾体４３の左右側方に誘導するものであることからすると、庇状部４８の上側で遊技領域３４を画定するものであり、上記庇状部４８を内周壁４７から図面下方向に離間した位置に設けることで、固定板４６の、内周壁４７と庇状部４８との間の部分に、遊技領域を拡張する領域を形成するものであると言える。そうすると、引用文献Ａには、
枠状装飾体４３の庇状部４８の一部を、正面視において貫通口３１ａから径方向内側に離間した位置に設けることで、内周壁４７と庇状部４８との間に遊技領域を拡張する領域を形成する固定板４６の部分
（ｈ１）記載事項（オ）（【００２６】）に、枠状装飾体４３の全体(固定板４６、内周壁４７および庇状部４８)が有色または無色の光透過性の合成樹脂材により形成されて、該枠状装飾体４３を介して裏ユニット５７を前側から視認し得るようになっていると記載されており、ここで、有色または無色の光透過性とは、枠状装飾体４３を介して裏ユニット５７を前側から視認し得るのであるから、透光可能に透明である。そして、上記認定事項（ｈ）を踏まえ、引用文献Ａには、
正面視において貫通口３１ａから径方向内側の、遊技領域を拡張する領域を形成する固定板４６の部分は、透光可能に透明な合成樹脂材により形成されていること
（ｃ１）上記認定事項（ｃ）で示した立体的な形状を有する上部発光演出装置１２０は、記載事項（キ）に、裏ユニット５７の左上方に配設される前記上部発光演出装置１２０と記載されるように、裏ユニット５７に設けられるものである。また、記載事項（サ）から、上部発光演出装置１２０は、裏ユニット５７の左上で、装飾部材４９の後側に配置されるものであり、記載事項（オ）（【００２７】）に、枠状装飾体４３には、庇状部４８の前端側に、窓口４３ａの開口内側に延出する装飾部材４９が庇状部４８に沿って延在するよう設けられていると記載されていることからすると、上部発光演出装置１２０は、庇状部４８の後側に配置されると言える。そして、記載事項（オ）（【００２６】）に、枠状装飾体４３の全体(固定板４６、内周壁４７および庇状部４８)が有色または無色の光透過性の合成樹脂材により形成されて、該枠状装飾体４３を介して裏ユニット５７を前側から視認し得るようになっていると記載されている。そうすると、上記認定事項（ｈ）、（ｈ１）を踏まえ、引用文献Ａには、
立体的な形状を有する上部発光演出装置１２０は、透光可能に透明な合成樹脂材により形成されている枠状装飾体４３を介して視認し得るように庇状部４８の後側に配置されること
（ｅ１）記載事項（コ）から、
固定板４６の、内周壁４７と庇状部４８との間の後方には、空間が形成されるように内周壁４７が位置していること
（ｈ４）記載事項（コ）の記載及び上記認定事項（ｈ）を踏まえ、引用文献Ａには、
貫通口３１ａと内周壁４７との間の距離より、遊技領域を拡張する領域を形成する固定板４６の部分である、内周壁４７と庇状部４８との間の距離が大きいこと
（ｉ）記載事項（カ）に、右上部ＬＥＤ基板７２は、枠状装飾体４３の固定板４６に設けられた第２光拡散部材５４ｂの後方に位置し、右上部ＬＥＤ基板７２のＬＥＤ７２ａからの光を、第２光拡散部材５４ｂにより拡散して前側レンズ部材５３の突出部分５３ａに照射し得るようになっていることが記載されており、記載事項（コ）から、固定板４６の、内周壁４７と庇状部４８との間の後方には空間が形成され、該空間のさらに後方に右上部ＬＥＤ基板７２が位置していることが記載されていることからすると、右上部ＬＥＤ基板７２のＬＥＤ７２ａからの光は、固定板４６の、内周壁４７と庇状部４８との間の、遊技領域を拡張する領域を形成する部分に照射されていることは明らかである。そうすると、上記認定事項（ｈ）を踏まえ、引用文献Ａには、
内周壁４７と庇状部４８との間の、遊技領域を拡張する領域を形成する固定板４６の部分の後方に、該部分に光を照射する右上部ＬＥＤ基板７２が設けられること
ウ　以上の記載事項（ア）〜（サ）及び認定事項（ａ）〜（ｉ）を総合すると、引用文献Ａには、以下の発明（以下、「引用発明Ａ」という。）が記載されていると認められる（分説ａ〜ｊは、本願発明の分説Ａ〜Ｊに対応させて付与した）。
「ａ　前面に遊技領域３４が画成され該遊技領域３４内に貫通口３１ａが形成された透明板３１と、
ｂ　透明板３１の貫通口３１ａに配設された枠状装飾体４３と、
ｃ　立体的な形状を有する上部発光演出装置１２０とを備え、
ｂ１　枠状装飾体４３は、
ｄ　枠状装飾体４３の外側の遊技領域３４に向かってパチンコ球の入口を有し、枠状装飾体４３の内側に向かってパチンコ球の出口を有する、パチンコ球が通入可能な球誘導部４４と、
ｅ　透明板３１の貫通口３１ａ内に挿入される内周壁４７と、
ｆ　透明板３１の前面よりも前方へ突出し、遊技領域３４と枠状装飾体４３の内部空間とを区画している庇状部４８と、
ｇ　内周壁４７に対して径方向外側に突出し、透明板３１の盤面にネジ固定される固定板４６と、
ｈ　庇状部４８の一部を、正面視において貫通口３１ａから径方向内側に離間した位置に設けることで、内周壁４７と庇状部４８との間に遊技領域を拡張する領域を形成する固定板４６の部分と、を具備し、
ｈ１　正面視において貫通口３１ａから径方向内側の、遊技領域を拡張する領域を形成する固定板４６の部分は、透光可能に透明な合成樹脂材により形成され、
ｃ１　立体的な形状を有する上部発光演出装置１２０は、透光可能に透明な合成樹脂材により形成されている枠状装飾体４３を介して視認し得るように庇状部４８の後側に配置され、
ｅ１　固定板４６の、内周壁４７と庇状部４８との間の後方には、空間が形成されるように内周壁４７が位置しており、
ｈ４　貫通口３１ａと内周壁４７との間の距離より、遊技領域を拡張する領域を形成する固定板４６の部分である、内周壁４７と庇状部４８との間の距離が大きく、
ｉ　内周壁４７と庇状部４８との間の、遊技領域を拡張する領域を形成する固定板４６の部分の後方に、該部分に光を照射する右上部ＬＥＤ基板７２が設けられている
ｊ　パチンコ機１０。」
エ　引用文献Ｂ
　当審拒絶理由に引用された引用文献Ｂには、図面とともに、次の記載がある（下線は当審にて付した）。
（ア）「【００１２】
　
遊技盤１の前面には、
センターケース１０、
が設けられている。
（イ）「【００２２】
　
センターケース１０は、遊技盤１の前面側から取り付けられ、装飾枠体３１と、装飾枠体３１の裏面側に取り付けられる画面枠３２と、を含む。
　遊技盤１を構成する基板（いわゆるベニヤ）には、上記センターケース１０をはめ込むためのセンターケース用開口（図示省略）が形成され、上記
センターケース１０は、遊技盤１の前面からこのセンターケース用開口にはめ込まれて取り付けられる。
【００２３】
　また
装飾枠体３１は、内側が前後に開口する枠状のもの
　また
装飾枠体３１には、表示部６の上方に、前方に突出する鎧部３４が設けられ、この鎧部３４の上部は、その頂部３４ａを右方に偏らせるように両側に向けて下り傾斜している。鎧部３４は、遊技球が表示部６の前面に落下しないようにする部分である。
　一方、画面枠３２は、前記表示部６が臨む矩形の表示用開口部３３（図２に示す）を内側に有し、装飾枠体３１に対して固定される部材である。」
（ウ）【図２】には、装飾枠体３１の鎧部３４が、鎧部３４の頂部３４ａの左右両側において、装飾枠体３１のセンターケース用開口にはめ込まれる部分に対して、図面下方（径方向内側）にずらして配置されることが、記載されている。
（エ）【図５】にも、装飾枠体３１の鎧部３４が、鎧部３４の頂部３４ａの左右両側において、装飾枠体３１のセンターケース用開口にはめ込まれる部分に対して、図面下方（径方向内側）にずらして配置されることが、記載されている。
オ　以上の記載事項から、引用文献Ｂには、次の技術的事項が記載されているものと認められる。
（２ｈ）　遊技盤１のセンターケース用開口に前面からはめ込まれるセンターケースの装飾枠体３１として、装飾枠体３１に設けられ、遊技球が表示部６の前面に落下しないようにする部分である鎧部３４が、鎧部３４の頂部３４ａの左右両側において、装飾枠体３１のセンターケース用開口にはめ込まれる部分に対して、径方向内側にずらして配置されること。
（２）対比
　本願発明と引用発明Ａとを対比する（見出しａ〜ｊは、本願発明の分説Ａ〜Ｊに対応させて付した）。
ａ、ｂ、ｄ、ｅ、ｆ、ｇ、ｈ、ｈ１、ｅ１、ｈ４、ｉ、ｊ　引用発明Ａの「透明板３１」、「枠状装飾体４３」、「球誘導部４４」、「内周壁４７」、「庇状部４８」、「固定板４６」、「遊技領域を拡張する領域を形成する固定板４６の部分」、「遊技領域を拡張する領域を形成する固定板４６の部分は、透光可能に透明な合成樹脂材により形成され」ること、「固定板４６の、内周壁４７と庇状部４８との間の後方には、空間が形成されるように内周壁４７が位置して」いること、「貫通口３１ａと内周壁４７との間の距離より、遊技領域を拡張する領域を形成する固定板４６の部分である、内周壁４７と庇状部４８との間の距離が大き」いこと、「右上部ＬＥＤ基板７２」及び「パチンコ機１０」は、それぞれ本願発明の「遊技板」、「センター役物」、「ワープ通路」、「挿入部」、「区画壁部」、「フランジ部」、「拡張された拡張遊技領域を形成する遊技領域拡張部」、「遊技領域拡張部は、透光可能に透明な部材で形成され」ること、「前記挿入部は、前記遊技領域拡張部の後方に空間が形成されるように配置され」ること、「前記挿入部と前記遊技板との間に生じる空間の幅よりも前記遊技領域拡張部である前記挿入部と前記区画壁部との間の幅のほうが大きくなって」いること、「発光手段」及び「遊技機」に相当する。
ｃ　引用発明Ａの「上部発光演出装置１２０」は、上記認定事項（ｃ）で示したように、ベース部材１２１には各種識別情報を象った貫通孔１２２ａ〜１２２ｅが形成されており、記載事項（ケ）に「第１〜第５識別情報を個別に明瞭に明輝させることができ、各識別情報による装飾性を向上し得る」と記載されるように、装飾に供されるものであるから、本願発明の「装飾部」に相当する。
ｃ１　引用発明Ａの「立体的な形状を有する上部発光演出装置１２０は、透光可能に透明な合成樹脂材により形成されている枠状装飾体４３を介して視認し得るように庇状部４８の後側に配置され」ることに関して、まず、何を「介して視認し得る」かについて、引用発明Ａでは「枠状装飾体４３」であるのに対し、本願発明では「正面視において前記遊技板の前記開口部の内縁よりも径方向内側に形成されている前記遊技領域拡張部」である点で相違するが、両者はいずれも「センター役物」の一部分である点で共通する。また、「後側に配置され」る点について、「立体的な形状を有する上部発光演出装置１２０」を「枠状装飾体４３を介して視認し得る」のであれば、上部発光演出装置１２０の装飾が視認可能となることは明らかであるが、何の「後側に配置され」るのかということについて、引用発明Ａでは「庇状部４８」であるのに対し、本願発明では「遊技領域拡張部」で相違するものの、両者はいずれも「センター役物」の他の一部分である点で共通する。
　そうすると、引用発明Ａの「ｃ１　立体的な形状を有する上部発光演出装置１２０は、透光可能に透明な合成樹脂材により形成されている枠状装飾体４３を介して視認し得るように庇状部４８の後側に配置され」ることは、本願発明の「Ｃ１　立体的な装飾がなされている前記装飾部は、透明な部材で正面視において前記遊技板の前記開口部の内縁よりも径方向内側に形成されている前記遊技領域拡張部を介し、前記装飾部の装飾が視認可能となるように前記遊技領域拡張部の後方に位置し、前記遊技領域拡張部の後方から前記区画壁部の径方向内側の位置まで跨って設けられ」ることと、「Ｃ１’　立体的な装飾がなされている前記装飾部は、透明な部材で形成されているセンター役物の一部分を介し、前記装飾部の装飾が視認可能となるようにセンター役物の他の一部分の後方に位置」する点で共通する。
　以上のことからすると、本願発明と引用発明Ａとは、次の４点で相違し、その余の点で一致する。
相違点１　「Ｃ１’　立体的な装飾がなされている前記装飾部は、透明な部材で形成されているセンター役物の一部分を介し、前記装飾部の装飾が視認可能となるようにセンター役物の他の一部分の後方に位置」する点に関して、
　本願発明では、装飾部は、「正面視において前記遊技板の前記開口部の内縁よりも径方向内側に形成されている前記遊技領域拡張部を介し、前記装飾部の装飾が視認可能となるように」、「遊技領域拡張部」の後方に位置し、「前記遊技領域拡張部の後方から前記区画壁部の径方向内側の位置まで跨って設けられ」ているのに対し、
　引用発明Ａでは、上部発光演出装置１２０は、「枠状装飾体４３を介して視認し得るように」、「庇状部４８」の後方に位置しており、「前記遊技領域拡張部の後方から前記区画壁部の径方向内側の位置まで跨って設けられ」ることについては特定されていない点。
相違点２　本願発明では、「Ｈ２　遊技球の直径よりも前記区画壁部に沿った方向の長さを長く前記遊技領域拡張部を形成し」ているのに対し、引用発明Ａでは明らかではない点。
相違点３　本願発明では、「Ｈ３　前記遊技領域拡張部の遊技球通過面よりも遊技者側において装飾をなす特別装飾部が、前記遊技領域拡張部に対して正面視で前記区画壁部を挟んで径方向内側に設けられ」ているのに対し、引用発明Ａでは明らかではない点。
相違点４　本願発明では、「Ｈ５　前記センター役物に設けられる頂部に衝突した遊技球が流下する左側流下領域に遊技領域拡張部が設けられ」ているのに対し、引用発明Ａでは当該特定を有していない点。
（３）判断
　以下、相違点について検討する。
　相違点４の「遊技領域拡張部」を設ける位置については、他の相違点の判断にも影響するため、まず相違点４について検討する。
ア　相違点４について
　引用文献Ａには、「遊技盤を大型化する場合には」、「遊技盤保持部を中枠の上方位置へ拡げるよう構成することが求められる。この場合に」「遊技盤(特に遊技領域)の上部位置を照明する照明装置を設置することが困難で、遊技盤(遊技領域)の上部位置の装飾性が低下する」ことを課題とすることが記載されている（記載事項（ア））。そして、この課題の解決のために、「前記右上部ＬＥＤ基板７２は」、「前記枠状装飾体４３の固定板４６に設けられた前記第２光拡散部材５４ｂの後方に位置し、右上部ＬＥＤ基板７２において前記前側発光演出装置５０の前側レンズ部材５３(突出部分５３ａ)と対向する部位の前面略全体が第２光拡散部材５４ｂにより覆われている。」「これにより」、「該右上部ＬＥＤ基板７２のＬＥＤ７２ａからの光を、該第２光拡散部材５４ｂにより拡散して前記前側レンズ部材５３の突出部分５３ａに照射し得るようになっている」（記載事項（カ））という構成を取ることで、「前記右上部ＬＥＤ基板７２」「を裏ユニット５７側に配設して、透明板３１の裏側から照明するよう構成したことで、遊技領域３４を照明するため装置を透明板３１側に設ける必要がなく、該透明板３１に形成される遊技領域３４を大きくすることができる」（記載事項「ク」）という効果を奏することができるものである。
　そうすると、引用発明Ａの「ｈ　庇状部４８の一部を、正面視において貫通口３１ａから径方向内側に離間した位置に設けることで、内周壁４７と庇状部４８との間に遊技領域を拡張する領域を形成する固定板４６の部分」は、当該固定板４６に設けられた第２光拡散部材５４ｂの後方に右上部ＬＥＤ基板７２を位置させ、該右上部ＬＥＤ基板７２のＬＥＤ７２ａからの光を、該第２光拡散部材５４ｂにより拡散して前記前側レンズ部材５３の突出部分５３ａに照射することで、遊技領域３４を大きくすることができ、引用文献Ａに示された課題を解決するための構成であるといえる。
　ここで、引用発明Ａの、遊技領域を拡張する領域を形成する固定板４６の部分が設けられる位置について、引用文献Ａの記載を参照すると、【図１１】は【図９】のＡ−Ａ線断面図である（【００１３】）ことからすると、当該部分が設けられる位置は、枠状装飾体４３の頂部に対して右側であり、前側発光演出装置５０の前側レンズ部材５３の突出部分５３ａがある位置である。
　一方、引用文献Ａには、枠状装飾体４３の頂部に対して左側の位置に、前側発光演出装置５０のような部材を設けることは記載されておらず、そのような位置に、後方から照明を行うＬＥＤ基板を設けるために、遊技領域を拡張する領域を形成する固定板４６の部分を設ける必要は無い。また、裏ユニット５７の左上方には上部発光演出装置１２０を配設することが記載されている（記載事項（キ））が、上部発光演出装置１２０は裏ユニット５７に配設されるものであり、上部発光演出装置１２０を照明するために、遊技領域を拡張する領域を形成する固定板４６の部分を設ける必要は無い。
　さらに、引用文献Ｂには、認定事項（２ｈ）にあるとおり、遊技球が表示部の前面に落下しないようにする部分である鎧部３４を、装飾枠体３１のセンターケース用開口にはめ込まれる部分に対して径方向内側にずらして配置することを、鎧部３４の頂部３４ａの左右両側において行うことが記載されているが、引用文献Ａの前側発光演出装置５０のような部材を設けることについては記載されていない。
　そうすると、引用発明Ａの、遊技領域を拡張する領域を形成する固定板４６の部分を、枠状装飾体４３の頂部に対して左側の位置に設けることが、当業者にとって容易であるとすることはできない。
　したがって、引用発明Ａ及び引用文献Ｂに記載された事項に基づいて、上記相違点４に係る本願発明の構成とすることは、当業者にとって容易に想到し得たものではない。
イ　相違点１について
　引用発明Ａでは、上部発光演出装置１２０は、透光可能に透明な合成樹脂材により形成されている枠状装飾体４３を介して視認し得るものであるが、上記アで示したように、引用発明Ａの、遊技領域を拡張する領域を形成する固定板４６の部分を、枠状装飾体４３の頂部に対して左側の位置に設けることが、当業者にとって容易であるとすることはできず、上部発光演出装置１２０を、遊技領域を拡張する領域を形成する固定板４６の部分を介して視認可能とすることはできない。また、この点に関し、引用文献Ｂには、何ら記載されていない。
　したがって、引用発明Ａ及び引用文献Ｂに記載された事項に基づいて、上記相違点１に係る本願発明の構成とすることは、当業者にとって容易に想到し得たものではない。
ウ　相違点２について
　上記認定事項（ｆ）で示したように、庇状部４８は、遊技領域３４を流下する過程で庇状部４８に接触したパチンコ球を、庇状部４８に沿って枠状装飾体４３の左右側方に誘導することで、前記窓口４３ａを横切ってパチンコ球が流下しないようにしているものであり、庇状部４８に接触したパチンコ球を円滑に側方に誘導するためには、パチンコ球の直径より長い長さが必要であることは明らかである。
　そうすると、引用発明Ａにおいて、パチンコ球の直径よりも庇状部４８に沿った方向の長さを長く、遊技領域を拡張する領域を形成する固定板４６の部分を形成することで、上記相違点２に係る本願発明の構成とすることは、当業者であれば容易に為し得たことである。
エ　相違点３について
　引用文献Ａにおいて、遊技領域を拡張する領域を形成する固定板４６の部分より遊技者側には、前側発光演出装置５０の前側レンズ部材５３があり、これを本願発明の「特別装飾部」とすることができるか検討すると、「前側レンズ部材５３は」、「その一部分が前記庇状部４８の外方(上方)へ突出するよう形成されて」（記載事項（オ）【００２９】）おり、庇状部４８の径方向内側に設けられているものではない。また、前側発光演出装置５０の前側レンズ部材５３は、上記「ア　相違点４について」で示したように、その突出部分５３ａに右上部ＬＥＤ基板７２のＬＥＤ７２ａからの光を照射することで、引用文献Ａに示された課題を解決するものとなっており、前側レンズ部材５３を庇状部４８の径方向内側のみに設けるとすることは、突出部分５３ａを無くすることとなり、当該課題の解決を阻害することとなる。さらに、遊技領域を拡張する領域を形成する固定板４６の部分より遊技者側で、庇状部４８の径方向内側の位置、すなわち、前側レンズ部材５３と重なるような位置に、他の装飾を設けることの動機付けは、ない。また、これらの点に関し、引用文献Ｂには、何ら記載されていない。
　したがって、引用発明Ａ及び引用文献Ｂに記載された事項に基づいて、上記相違点３に係る本願発明の構成とすることは、当業者にとって容易に想到し得たものではない。
（４）小括
　以上のとおり、本願発明の相違点１、３及び４に係る構成に関して、引用発明Ａ及び引用文献Ｂに記載された事項に基づいて当業者が容易に想到し得たものということはできない。
４　まとめ
　したがって、本願発明は、引用発明Ａ及び引用文献Ｂに記載された事項に基づいて当業者であっても容易に発明できたものであるとはいえず、本願については、進歩性についての当審拒絶理由によって拒絶すべきものとすることはできない。
第５　むすび
　以上のとおり、本願については、原査定の理由及び当審拒絶理由を検討してもその理由によって拒絶すべきものとすることはできない。
　また、他に本願を拒絶すべき理由を発見しない。
　よって、結論のとおり審決する。